(57)【要約】【課題】使用時に、フィット感を保ちつつ、スイングの方向性を確保する。【解決手段】握った際に手の平の当てがわれる部分７がＪＩＳ−Ａ型硬度計：３０〜４５度の硬度を有するシリコンゴムからなるゴルフクラブ用グリップであり、両手の親指が押し当てられる部分５、６は、ＪＩＳ−Ａ型硬度計：６０〜８０度のＳＢＲ、ＢＲ等の前記シリコンゴムよりも硬度の高いゴムを使用する。握った際、シリコンゴムの部分７は、手のひらの凹凸形状に沿って変形し、フィット感がある。一方、一般に、スイングの方向性は親指により決められ、その親指は硬いゴムの部分５、６に押し当てられるため、スイングの方向性を確保することができる。【選択図】図１
2007000411.tif 000002
【特許請求の範囲】
【請求項１】
握った際に手のひらの凹凸形状に沿って変形する硬度を有するゴムからなるゴルフクラブ用グリップにおいて、
利き手の親指が押し当てられる部分（５）に上記ゴムよりも硬度の高いゴムを使用し、前記利き手の親指によるスイングの方向性を維持するようにしたことを特徴とするゴルフクラブ用グリップ。
【請求項２】
利き手でない手の親指が押し当てられる部分（６）にも上記ゴムより高い硬度のゴムを使用したことを特徴とする請求項１に記載のゴルフクラブ用グリップ。
【請求項３】
上記握った際に変形して手のひらの凹凸形状に沿う硬度のゴムをシリコンゴムとし、親指が押し当てられる部分のゴムを、天然ゴムや、ＳＢＲ、ＢＲ、ＮＢＲ、ＣＲ、ＥＰＤＭ、ＣＭＳ、ＡＲ、ＰＵ等の合成ゴムを主成分としたゴムとしたことを特徴とする請求項１又は２に記載のゴルフクラブ用グリップ。
【発明の詳細な説明】
【技術分野】
【０００１】
この発明は、ゴルフクラブ用グリップに関するものである。
【背景技術】
【０００２】
パター等のゴルフクラブ１０には、図４に示すように、シャフト１１の基部にゴム製のグリップ１２を嵌めたものが一般的であり、そのゴルフクラブ１０はグリップ１２を両手で握って使用する。
【０００３】
このようなゴルフクラブ１０において、従来から、そのグリップ１２を握った際のフィット感を高めるために、種々の工夫がなされており、その一つに、グリップ１２をなすゴムの硬度を適宜な値に設定することがなされている。そのゴムの硬度の調整に、２層の異なる硬度のゴムを使用したものがある（特許文献１  段落００２５、図２参照）。
【特許文献１】特開平６−２４６０２２号公報
【０００４】
また、グリップ１２の長さ方向において硬度の異なるゴムを使用したものもある（特許文献２  段落００１２  図２、図３参照）。
【特許文献２】特開２００３−１１７０３５号公報
【０００５】
さらに、グリップエンドに近い部分のゴムをヘッドに近い部分のゴムよりも軟らかくしたものもある（特許文献３  実用新案登録請求の範囲  図１参照）。
【特許文献３】実開昭６４−５６２６８号公報
【発明の開示】
【発明が解決しようとする課題】
【０００６】
ところで、図４に示す、ゴルフクラブ１０の使用時（スイング時）のフィット感は、通常、グリップ１２のゴムを柔らかくすれば得ることができるが、ゴムを柔らかくしてフィット感を高めるとスイングの方向性が定まらない。一般に、同図に示すように、スイングの方向性の確保は利き手の親指により行われ、その親指はグリップ１２に強く押し当てて動かない方がスイングの方向性を確保することが容易である。
【０００７】
この点を考慮すると、上記の特許文献１〜３記載の技術は、ある程度フィット感を向上させるが、利き手の親指が押し当てられる部分についての考慮がされていないため、スイングの方向性を確保することが難しいという問題があった。
【０００８】
この発明は、このような状況の下、フィット感を保ちつつ、スイングの方向性を確保することを課題とする。
【課題を解決するための手段】
【０００９】
上記課題を達成するために、この発明は、基本的には、フィット感を得られる硬度のゴムを使用し、利き手の親指が押し当てられる部分にはそのゴムより高い硬度のゴムを使用することとしたのである。
このようにすれば、握った時のフィット感を維持しつつ、親指は強く押し当てられるため、スイングの方向性を確保することができる。
【００１０】
具体的には、握った際に手のひらの凹凸形状に沿って変形する硬度を有するゴムからなるゴルフクラブ用グリップにおいて、利き手の親指が押し当てられる部分に前記ゴムよりも硬度の高いゴムを使用し、利き手の親指によるスイングの方向性を維持するようにした構成としたのである。
【００１１】
この構成において、上記利き手以外の手の親指が押し当てられる部分にも上記ゴムより高い硬度のゴムを使用することができる。
利き手以外の手の親指も少なからず、スイングの方向性の確保に影響を与えるため、その親指も強く押し当てることが好ましいからである。
【発明の効果】
【００１２】
この発明は、以上のように構成したので、フィット感を保ちつつ、スイングの方向性を確保することができる。
【発明を実施するための最良の形態】
【００１３】
この発明の実施形態のゴルフクラブ用グリップを図１〜図３に示し、この実施形態のゴルフクラブ用グリップ１も、従来と同様に、シャフト２の基部に嵌め込み固定される。このグリップ１は、図１、図２（ｄ）（ｅ）に示すように、その長さ方向にゴルフクラブのヘッド（図示省略）のフェース面に対して直角な平坦面４が形成されており、このグリップ１を握ると、その平坦面４が手の平の母指球部分に押し当てられ、この部分を境として、前側（ヘッド側）に利き手の親指が押し当てられる前部親指押し当て部５と、後側（グリップエンド３側）に利き手でない手の親指が押し当てられる後部親指押し当て部６とに分けられる。
【００１４】
上記前部親指押し当て部５は、図２（ａ）に示すように、上記グリップ１中央側の端部から、シャフト２側端部に向かって、角度を持ってグリップ１の両側面に延び、途中でグリップ１の長さ方向に延びている。一方、上記後部親指押し当て部６は、グリップ１中央側の端部から、グリップエンド３側端部に向かって、グリップ１の両側面に湾曲して延び、グリップエンド３付近において全周にわたっている。
【００１５】
この両親指押し当て部５、６の材質は、天然ゴムや、ＳＢＲ、ＢＲ、ＮＢＲ、ＣＲ、ＥＰＤＭ、ＣＭＳ、ＡＲ、ＰＵ等の合成ゴムを主成分としたゴムである。このゴムの硬度は、後述する指押し当て部７の硬度よりも高ければ、任意であり、例えば、ＪＩＳ−Ａ型硬度計（ＪＩＳ  Ｋ  ６２５３（加硫ゴム及び熱可塑性ゴムの硬さ試験方法）のスプリング式硬さ試験機Ａ型）で６０〜８０度とする。このようにすれば、グリップ１を握った際、両親指を両親指押し当て部５、６に強く押し当てることができる。
【００１６】
上記グリップ１の両親指押し当て部５、６を除いた部分（指押し当て部７）は、図２（ａ）（ｃ）に示すように、グリップ１の後面のシャフト２側端部からグリップエンド３側端部付近まで連続している。
【００１７】
この指押し当て部７はシリコンゴムからなって、そのゴムの硬度は、グリップ１を握った際に、手のひらの凹凸形状に沿ってフィット感を得られる程度であれば、任意であり、例えば、ＪＩＳ−Ａ型硬度計で３０〜４５度とする。
【００１８】
なお、上記指押し当て部７は、図２（ａ）に示すように、後部親指押し当て部６がグリップエンド３に向かって徐々にその全周に至るように形成されているので、グリップ１の側面のグリップエンド３寄りの部分がシャフト２寄りの部分よりも範囲が広く、利き手でない手の親指を除く指のほとんどを押し当てることができるため、さらにフィット感が高まっている。
【００１９】
この実施形態は以上のような構成であり、いま、図３に示すように、平坦面４を上にして、前部親指押し当て部５に利き手の親指を、後部親指押し当て部６に利き手でない手の親指をそれぞれ押し当てて、グリップ１を握ると、図１（ｂ）に示すように、両親指を除いた両手の指の凹凸に沿って、指押し当て部７が変形するため、フィット感が得られる。一方、両親指はその押し当て部５、６に強く押し当てることができるため、スイングの方向性を確保することができる。
【００２０】
この実施形態は、両親指が押し当てられる部分５、６に硬度の高いゴムを使用したが、利き手でない手の親指が押し当てられる部分６には、指押し当て部７と同等のゴムを使用することもできる。また、両親指が押し当てられる部分５、６のゴム硬度も異ならせることができる。例えば、利き手の親指が押し当てられる部分５のゴム硬度を高くすることもできる。
【図面の簡単な説明】
【００２１】
【図１】（ａ）一実施形態のゴルフクラブ用グリップの斜視図、（ｂ）同上のゴルフクラブ用グリップの握った状態の斜視図
【図２】（ａ）同上のゴルフクラブ用グリップの正面図、（ｂ）同上のゴルフクラブ用グリップの上面図、（ｃ）同上のゴルフクラブ用グリップの下面図、（ｄ）同上のゴルフクラブ用グリップのシャフト側の側面図、（ｅ）同上のゴルフクラブ用グリップのグリップエンド側の側面図
【図３】同上のゴルフクラブ用グリップの使用状態を示す斜視図
【図４】従来のゴルフクラブ用グリップの使用状態を示す斜視図
【符号の説明】
【００２２】
１  グリップ
２  シャフト
３  グリップエンド
４  平坦面
５  前部親指押し当て部
６  後部親指押し当て部
７  指押し当て部
１０  ゴルフクラブ
１１  シャフト
１２  グリップ
【図１】
2007000411.tif 000003
【図２】
2007000411.tif 000004
【図３】
2007000411.tif 000005
【図４】
2007000411.tif 000006